(57)【特許請求の範囲】
【請求項１】
時間の経過とともに入札価格が下げられ、最初に入札した者が落札する方式のオークションがオークションプログラムを実行するコンピューターを用いてインターネット上で実施される場合において、乱数を発生させる乱数発生手段が備えられ、オークション主催者によって指定された時間帯の数値の範囲で乱数が発生させられ、当該発生させられた乱数の数値が取引経過時間と等しくなったときに、または、オークション主催者によって指定された数値の範囲で乱数が発生させられ、当該発生させられた乱数を一定の演算式に代入して算出された価格が入札価格に等しくなったときに、あるいは、オークション主催者によって指定された数値の範囲で乱数が繰り返し発生させられ、当該発生させられた乱数が、オークション主催者によって、あらかじめ設定された数値と等しくなったときに、進行中の取引を中断させる取引中断手段が備えられたオークションシステム。
【発明の詳細な説明】
【技術分野】
【０００１】本発明は、時間の経過とともに入札価格を下げていき、最初に入札した者が落札する方式のオークションをインターネット上で実施する場合に、入札者の入札意欲を促進する方法に関するものである。
【背景技術】
【０００２】上記の方式のオークションにおいて、オークション主催者にとって多くの入札者を集め、入札者に他の入札者に落札される不安をあたえることが、商品の魅力とあいまって、入札者の入札意欲を促進する主要な方法の一つと考えられている。
【先行技術文献】
【特許文献】
【０００３】
【特許文献１】特開２００２−２５９７５０
【非特許文献】
【０００４】
【非特許文献１】ジェムスロンドン株式会社の運営サイト「リバオク」のＷｅｂページ（ｈｔｔｐ：／／ｗｗｗ．ｇｅｍｓｔｖ．ｃｏ．ｊｐ／ｒｉｂａｏｋｕ．ｈｔｍｌ）
【発明の概要】
【発明が解決しようとする課題】
【０００５】上記の方式のオークションにおいて、入札意欲を促進する重要な要素である多くの入札者、言い換えれば入札者にとって多くの競争相手の存在を確認できない、インターネットオークションにおいて、コンピューターの発生させる乱数を用いて、取引が突然に中断される不安をあたえることによって、商品の魅力とあいまって、入札者の入札意欲を促進しようとするものである。
【課題を解決するための手段】
【０００６】本発明は、上記の方式のオークションをインターネット上で実行するさいに、オークション主催者が商品の魅力度や需要の大小、自己の採算などを考慮して、妥当と思われる価格で落札されるよう、オークションがスタートしてからの時間帯を特定し、当該時間帯の数値の範囲でコンピューターに乱数を発生させ、発生した乱数と取引がスタートしてからの経過時間が等しくなったときに、または、発生する乱数を一定の演算式に代入して、価格に換算し、入札価格が当該価格と等しくなったときに、あるいは、乱数を繰り返し発生させ、当該発生させた乱数があらかじめ設定した数値と等しくなったときに、取引を中断させる機能を備えることにより、入札者に取引が突然に中断される不安をあたえることで、入札者の入札意欲を刺激し、上記課題を解決しようとするものである。
【発明の効果】
【０００７】上記の方式のオークションにおいて、従来は、多くの入札者の存在により他の入札者に落札される不安が、入札者の入札意欲を促進する重要な要素であったが、本発明により、インターネット上で行うオークションのように、入札者が他の多くの入札者の存在を確認できない場合でも、取引が突然に中断される可能性があることから、商品の魅力度が大きければ、入札者は入札を急ぐ誘因を持つことになる。
【図面の簡単な説明】
【０００８】
【図１】オークションシステムの構成
【図２】乱数による取引中断処理の実施方法
【発明を実施するための形態】
【０００９】上記の方式のオークションをインターネット上で実施するにさいし、オークション主催者は時間の経過により入札価格を変更するさいの時間幅（秒単位）と価格の幅を指定する。さらに、乱数によって取引を中断させる場合は、０以上１未満の少数の乱数を発生させる関数であるＲＡＮＤ関数を用いて最小値以上、最大値以下の整数の乱数を発生させ、当該乱数を用いて下の三通りの方法のうち、いずれか一つの方法で取引を中断させる。
なお、最小値以上、最大値以下の整数の乱数を発生させるには、例えば、最大値と最小値を整数で指定するものとし、ｉｎｔ（ｒａｎｄ（）×（最大値−最小値＋１）＋最小値）、とすれば、ＲＡＮＤ関数によって得られる最小値以上、最大値＋１未満の実数値の乱数を、指定値を小数点以下切捨て処理するＩＮＴ関数で整数にすることができ、結果として、最小値以上、最大値以下の整数の乱数を得ることができる。以下、簡略化のため、ＲＡＮＤ関数は、最大値と最小値を指定し、その範囲で整数の乱数を発生させることができるものとして説明する。
発生した乱数と取引がスタートしてからの経過時間が等しくなったときに取引を中断させる場合は、乱数によって取引を中断させる時間を指定するために、取引を中断させる時間帯１にあわせて、発生する乱数の最大値と最小値を指定し、ＲＡＮＤ関数を用いて、その範囲で整数の乱数を発生させ、発生した乱数２＝経過時間３、となったときに取引を中断させる。経過時間は秒単位で計測する。
また、発生する乱数を一定の演算式に代入して価格に換算し、当該価格で取引を中断させる場合は、乱数機能を設定したい価格帯４に合わせて、当該演算式に代入される乱数の最大値と最小値を指定し、ＲＡＮＤ関数を用いて、その範囲で整数の乱数を発生させ、当該発生させた整数の乱数を（スタート価格−指定した入札価格の変更幅×乱数）の演算式に代入して価格を算出し、算出された価格５＝入札価格６、となったときに取引を中断させる。
あるいは、繰り返し乱数８を発生させ、当該発生した乱数が、あらかじめ設定した数値９と等しくなったときに取引を中断させる。この場合、ＲＡＮＤ関数を用いて整数の乱数を発生させるが、そのさい、最大値と最小値はオークション主催者が任意に指定し、その範囲で一定の時間間隔で繰り返し乱数を発生させ、当該乱数のうち、あらかじめ設定した数値９と等しい乱数１０が発生したときに取引を中断させる。あらかじめ設定する数値９は、ＲＡＮＤ関数を用いるさいに指定した最大値と最小値の範囲の整数のうちの一つをオークション主催者が任意に選択して設定する。この方法の場合、乱数を発生させる時間間隔の長短とＲＡＮＤ関数を用いるさいに指定する最大値・最小値の幅を変えることにより、乱数１０＝設定値９という取引中断の条件が生じる確率を操作できる。
【００１０】上記の方式のオークションをインターネット上で実施するにさいし、上記のように、乱数によって進行中の取引を突然中断させる機能を作動させる場合は、その旨、入札者に告知することによって、入札意欲をより促進することができる。
【００１１】上記の方式のオークションをインターネット上で実施するにさいし、上記のように、乱数によって進行中の取引を突然中断させる機能を作動させる場合、中断時点での入札価格を落札価格として、落札者を募ることもできる。
【実施例】
【００１２】上記の方式のオークションに関し、インターネット上で行うオークションであるために競争者となる他の入札者の存在を確認しにくい場合であっても、乱数を利用した本発明の活用により、入札者の入札意欲が刺激される。
【要約】
【課題】時間の経過とともに入札価格を下げ、最初に入札した者が落札する方式のオークションにおいて、インターネット上で実施するために、競争相手となる他の入札者が確認できない場合においても入札者の入札意欲を促進する。
【解決手段】上記の方式のオークションをインターネット上で実行するさいに、オークションがスタートしてからの時間の数値と発生させた乱数が等しくなったときに、または、発生させた乱数を一定の演算式に代入して算出した価格と入札価格が等しくなったときに、あるいは、乱数を繰り返し発生させ、当該乱数があらかじめ設定した数値と等しくなったときに、取引を中断させる機能を備えることにより、入札者に取引が突然に中断される不安をあたえることで、上記課題を解決しようとするものである。
【選択図】図１【図１】
0004640662.tif 000002
【図２】
0004640662.tif 000003